(57)【特許請求の範囲】
【請求項１】
加熱調理器を有するキャビネットに設けられるレンジフードであって、
前記加熱調理器の使用に伴い上昇する空気に含まれる油煙を吸い込むための吸込口を有するフード部と、
前記キャビネット内に設けられ、前記フード部の前記吸込口から連通する風路を介して空気を吸引する送風機を有する本体部と、
前記風路を内部に有し、前記キャビネットの天板付近において前記フード部と前記本体部を接続する接続部と、
前記接続部と前記天板の間に介在する不燃部と、
を備え、
前記不燃部は、断熱性を有する部材からなる不燃材と不燃材枠を有し、
前記不燃材枠は、前記不燃材と前記天板の間に介在する不燃材外枠を有し、
前記接続部は、前記天板の上面より下方に存するフード部側接続部および前記フード部側接続部と接続される本体部側接続部を有し、
前記フード部側接続部の下端は、前記不燃材枠よりも下方に突出する、
レンジフード。
【請求項２】
加熱調理器を有するキャビネットに設けられるレンジフードであって、
前記加熱調理器の使用に伴い上昇する空気に含まれる油煙を吸い込むための吸込口を有するフード部と、
前記キャビネット内に設けられ、前記フード部の前記吸込口から連通する風路を介して空気を吸引する送風機を有する本体部と、
前記風路を内部に有し、前記キャビネットの天板付近において前記フード部と前記本体部を接続する接続部と、
前記接続部と前記天板の間に介在する不燃部と、
を備え、
前記不燃部は、断熱性を有する部材からなる不燃材と不燃材枠を有し、
前記不燃材枠は、前記不燃材と前記天板の間に介在する不燃材外枠を有し、
前記不燃材外枠は、前記天板の上面に対応するフランジと前記天板の下面に対応する締付部材を有し、前記フランジと前記締付部材で前記天板を挟持することにより固定される、
レンジフード。
【請求項３】
前記不燃材枠は、前記不燃材と前記接続部の間に介在する不燃材内枠をさらに有していることを特徴とする請求項１または２に記載のレンジフード。
【請求項４】
前記不燃材内枠の内周は、前記接続部の外周に対応していることを特徴とする請求項３に記載のレンジフード。
【請求項５】
前記フード部側接続部は、両端にガイド部を有し、前記ガイド部は、前記フード部側接続部の他の部分より下方に突出していることを特徴とする請求項１、３、または４に記載のレンジフード。
【請求項６】
前記天板と前記不燃材外枠の間にパッキンを介在させることを特徴とする請求項１乃至５のいずれかに記載のレンジフード。
【請求項７】
前記不燃部は、一体として構成されていることを特徴とする請求項１乃至６のいずれかに記載のレンジフード。
【発明の詳細な説明】
【技術分野】
【０００１】
本発明は、レンジフードに関し、特に調理台に備えられるレンジフードに関する。
【背景技術】
【０００２】
従来から、主にアイランドキッチンにおいて、吸込口を有するフード部を加熱機器の奥側に調理台の天板上部に設け、フード部の吸込口から吸いこまれる油煙を吸引する送風機を有する本体部を調理台内部に設けたレンジフードが提案されている（たとえば、特許文献１を参照）。ここで、レンジフードと可燃性の部分との間には消防法により不燃処理を施すことが義務付けられている。そのため、可燃性の調理台にこのような構成のレンジフードを取り付ける場合には、調理台とレンジフードの間に不燃材を介在させる必要がある。
【先行技術文献】
【特許文献】
【０００３】
【特許文献１】特開２００７−０２９３８９号公報
【発明の概要】
【発明が解決しようとする課題】
【０００４】
しかしながら、不燃材は非常に脆い材料のものが多く、レンジフードを使用するうちに不燃材が破損したり劣化したりといったことが起きるため、度々交換しなければいけないという問題が発生していた。
そこで、本発明は、容易にレンジフードと調理台の天板とを断熱することができ、かつ不燃材の破損や劣化を防ぐ構成としたレンジフードを提供するものである。
【課題を解決するための手段】
【０００５】
上記課題を解決するために、加熱調理器を有するキャビネットに設けられるレンジフードであって、加熱調理器の使用に伴い上昇する空気に含まれる油煙を吸い込むための吸込口を有するフード部と、キャビネット内に設けられ、フード部の吸込口から連通する風路を介して空気を吸引する送風機を有する本体部と、風路を内部に有し、キャビネットの天板付近においてフード部と本体部を接続する接続部と、接続部と天板の間に介在する不燃部と、を備え、不燃部は、断熱性を有する部材からなる不燃材と不燃材枠を有し、不燃材枠は、不燃材と天板の間に介在する不燃材外枠を有し、接続部は、天板の上面より下方に存するフード部側接続部およびフード部側接続部と接続される本体部側接続部を有し、フード部側接続部の下端は、不燃材枠よりも下方に突出するレンジフードが提供される。
これによれば、レンジフードと調理台の天板とを断熱することができると共に、調理台の天板に水や油等の液体をこぼしても不燃材が直接液体を吸うことがないから、不燃材の長寿命化につながり、また、レンジフードに外力がかかり不燃材に荷重がかかっても、不燃材外枠が不燃材の保護材として機能して力が分散するため、天板による不燃材の破損を防止することができる。また、不燃材は一般的に加工し難い材料であるものが多いため、直接調理台の天板に取り付けるのは困難だが、不燃材外枠を介して取り付けられるため施工性がよい。
【０００６】
さらに、不燃材枠は、不燃材と接続部の間に介在する不燃材内枠をさらに有していることを特徴としてもよい。
これによれば、レンジフードに外力がかかり不燃材に荷重がかかっても、不燃材内枠が不燃材の保護材として機能して力が分散するため、レンジフードによる不燃材の破損を防止することができる。また、不燃材内枠が不燃材の保護材として機能するため、接続部を天板に取り付けようとする際に不燃材を傷つけたり、破損させてしまうことを防止することができる。
【０００７】
さらに、不燃材内枠の内周は、接続部の外周に対応していることを特徴としてもよい。
これによれば、フード部側接続部と本体部側接続部を取り付ける際、不燃材内枠がフード部側接続部の前後左右の位置決めとして機能するため、フード部側接続部と本体部側接続部の接続を容易に行うことができる。
【０００８】
さらに、フード部側接続部は、両端にガイド部を有し、ガイド部は、フード部側接続部の他の部分より下方に突出していることを特徴としてもよい。
これによれば、フード部側接続部または本体部側接続部を取り付ける際、両端のガイド部のみに目を配ればよいので容易に取り付けることができる。また、フード部側接続部に設けられたガイド部が他のフード部側接続部よりも先に本体部側接続部に挿入されて位置決めを行うため、本体部側接続部と他のフード部側接続部とが衝突することなく、フード部側接続部や本体部側接続部が破損することを防止することができる。
【０００９】
さらに、不燃材外枠は、天板の上面に対応するフランジと天板の下面に対応する締付部材を有し、フランジと締付部材で天板を挟持することにより固定されることを特徴としてもよい。
これによれば、天板の厚みに対応して容易にレンジフードを取り付けることができる。また、天板にねじ孔を設けることなく不燃材外枠を天板に設置可能であるため、地震等によってねじ孔から亀裂が入り天板が破損する事態を防止できる。
【００１０】
さらに、天板と不燃材外枠の間にパッキンを介在させることを特徴としてもよい。
これによれば、天板に水や油等の液体をこぼしても、キャビネットの内部にそれらが侵入することを防ぐことができる。
【００１１】
さらに、不燃部は、一体として構成されていることを特徴としてもよい。
これによれば、不燃部をキャビネットに容易に取り付けることができる。
【発明の効果】
【００１２】
以上説明したように、本発明によれば、容易にレンジフードと調理台の天板とを断熱することができ、かつ不燃材の破損や劣化を防ぐ構成としたレンジフードを提供することができる。
【図面の簡単な説明】
【００１３】
【図１】本発明に係る第一実施例のレンジフードの、（Ａ）正面図、（Ｂ）平面図、（Ｃ）背面図。
【図２】本発明に係る第一実施例のレンジフードの右上手前から見た斜視図。
【図３】本発明に係る第一実施例のレンジフードのＩ−Ｉ断面における断面図。
【図４】本発明に係る第一実施例のレンジフードのフード部の、（Ａ）正面図、（Ｂ）平面図、（Ｃ）側面図、（Ｄ）背面図。
【図５】本発明に係る第一実施例のレンジフードのフード部の、（Ａ）底面図、（Ｂ）右下手前から見た斜視図。
【図６】本発明に係る第一実施例のレンジフードの本体部の、（Ａ）正面図、（Ｂ）平面図、（Ｃ）側面図、（Ｄ）背面図。
【図７】本発明に係る第一実施例のレンジフードの本体部の右上手前から見た斜視図。
【図８】本発明に係る第一実施例のレンジフードの不燃部の、（Ａ）正面図、（Ｂ）平面図、（Ｃ）底面図、（Ｄ）右側面図、（Ｅ）左側面図。
【図９】本発明に係る第一実施例のレンジフードの不燃部の、（Ａ）左上手前から見た斜視図、（Ｂ）左下手前から見た斜視図。
【図１０】本発明に係る第一実施例のレンジフードの不燃部のＩＩ−ＩＩ断面における断面図。
【図１１】本発明に係る第一実施例のレンジフードの、（Ａ）Ｉ−Ｉ断面における断面図、（Ｂ）同断面における不燃部付近の部分拡大断面図。
【図１２】本発明に係る第一実施例のレンジフードの不燃部の分解図。
【図１３】本発明に係る第一実施例のレンジフードの分解図。
【発明を実施するための形態】
【００１４】
以下では、図面を参照しながら、本発明に係る実施例について説明する。
＜第一実施例＞
図１乃至図３を参照し、本実施例におけるレンジフード１を説明する。レンジフード１は、主にアイランドキッチンにおいて、加熱調理器ＣＫを有しキッチン等の床に載置されるキャビネットＣＡと共に備えられるレンジフードである。キャビネットＣＡは、その天板ＰＬに熱源ＨＴを有する加熱調理器ＣＫが設けられており、使用者は熱源ＨＴ（たとえば、ＩＨクッキングヒーターなど）に鍋などを置いて料理を行う。レンジフード１は、その料理の際に発生する油煙が室内に拡がらないように、油煙を捕集し、脱油分、脱煙、脱臭などを行うものである。
【００１５】
レンジフード１は、キャビネットＣＡ内に設けられる本体部１０と、キャビネットＣＡに立設したフード部２０と、フード部２０と本体部１０を接続する接続部４０と、接続部４０と天板ＰＬの間に介在する不燃部５０とを備える。本体部１０は、フード部２０で油煙を含む空気を吸引するために空気の流れを発生させる送風機１１と、フード部２０から空気を吸引し、フード部２０へ空気を送出するために、空気を通過させる本体部風路１３と、本体部風路１３上にあり、吸引した空気の中に含まれる煙や臭いを除去するための浄化装置１２と、フード部２０と接続するための接続部４０（４２）を備える。
【００１６】
フード部２０は、その下部に位置する接続部４０（４１）において本体部１０と接続され、キャビネットＣＡの調理台の天板ＰＬに設けられる加熱調理器ＣＫの使用者側から見て奥側から立設する。フード部２０は、天板から垂直に設けられる壁部２１１と、壁部２１１から延在し、キャビネットＣＡの奥側から手前側へ向かって上方へ傾斜する内面パネル２１と、内面パネル２１が捕集した油煙を吸い込むための吸込口２２と、吸込口２２から吸込んだ油煙から油脂分を捕獲する公知のフィルタ２３と、フィルタ２３を覆うように取り付けられる整流板２４と、フィルタ２３を通過した空気を本体部１０へ導く吸引風路２８と、本体部１０が浄化した空気を導く吹出風路２９と、その浄化した空気をレンジフード１から室内へ吹出す吹出口２６と、壁部２１１から延在し、本体部１０と接続される接続部４０（４１）とを備える。
【００１７】
内面パネル２１は、奥側から手前側へ向かって上方へ傾斜することで、使用者に圧迫感を与えることなく、加熱調理器ＣＫの使用に伴い上昇する空気に含まれる油煙を捕集する。吸込口２２は、吸引風路２８を介して、送風機１１と連通した凹部として内面パネル２１に形成される。整流板２４は、フィルタ２３を覆うように着脱自在または開閉自在に取り付けられることでフード部２０に意匠的な効果をもたらすと共に、吸込口２２の奥側に位置する。また、整流板２４は、障害物が減りより吸込み易くなると共に、清掃性が向上するので、内面パネルに対して面一に取り付けられている。
【００１８】
壁部２１１は、その内部に吸引風路２８と吹出風路２９という空気の流れの向きが異なる２つの風路を奥行き方向に並列に有する。本体部１０の送風機１１が発生させた空気の流れは、連通するフード部２０の吸込口２２から始まり、吸引風路２８と本体部風路１３を介して送風機１１に到達し、その後浄化装置１２を通ってから吹出風路２９を介して吹出口２６から室内へ放出されることで終わる。
【００１９】
接続部４０は、壁部２１１から下方に延在するフード部側接続部４１（図４および図５に示す）と、フード部側接続部４１と適合するように本体部１０から上方へ延在する本体部側接続部４２（図６および図７に示す）から構成される。フード部側接続部４１と本体部側接続部４２のそれぞれは、その内部に吸引風路２８と吹出風路２９が奥行き方向に並列するようにして有する。
【００２０】
レンジフード１は、工場出荷時には、フード部２０と本体部１０とは分離して出荷され、キャビネットＣＡが存する現場でフード部側接続部４１と本体部側接続部４２を接続することで組み立てられる。具体的には、本体部１０をキャビネットＣＡの裏側から内部へ、本体部側接続部４２が天板ＰＬの開口部ＯＰに適合するように配置され固定された後、フード部２０のフード部側接続部４１を天板ＰＬの上方から開口部ＯＰへ挿入し、その奥にある本体部側接続部４２へ差し込むようにして接続する。なお、油の流れが本体部１０の外へ流出しないようにするため、フード部側接続部４１が本体部側接続部４２の内側に嵌合するように接続することが好ましい。このようにして、フード部２０は、キャビネットＣＡに立設する。
【００２１】
また、本実施例では、本体部１０とフード部２０を接続するための接続部４０は、天板ＰＬの上面より下方に存するフード部側接続部４１およびフード部側接続部４１と接続される本体部側接続部４２を有し、天板ＰＬ付近に存する。設置時において開口部ＯＰの位置にあるのは、フード部側接続部４１であるが、これに限定されず、本体部側接続部４２が開口部ＯＰの位置にあってもよい。この場合、本体部１０をキャビネットＣＡの内部に配置する際、本体部側接続部４２は開口部ＯＰに挿入するようにして配置される。
【００２２】
不燃部５０は、接続部４０と天板ＰＬの間に介在するように存する。接続部４０は風路を内部に有し、特に吸引風路２８には、吸込口２２で吸い込んだ熱せられた空気が流れる。そのため、レンジフード１の一部が可燃性の材料から成形された天板ＰＬに直接接するようなことは、消防法上認められていない。不燃部５０は、レンジフード１を不燃処理するための部材である。
【００２３】
図４および図５を参照し、フード部２０について説明する。フード部２０の内面パネル２１は、キャビネットＣＡの奥側から手前側へ向かって上方へ傾斜することで、使用者への圧迫感を生じさせない程度に熱源の上方に位置し、加熱調理器ＣＫで行う料理等により上昇する空気が含む油煙を捕集する。フード部２０の底面視では、最も外周に周縁部２５が、その内側に内面パネル２１が、そのさらに内側の奥側に整流板２４、手前側に吸込口２２が存する。整流板２４は、フィルタ２３より一回り大きいので、フィルタ２３を覆うように取り付けられている。吸込口２２、およびフィルタ２３を収める空間は、内面パネル２１の凹部として形成されており、この凹部は、壁部２１１の内部を通る吸引風路２８に連通している。
【００２４】
フード部２０は、壁部２１１とフード部側接続部４１の境界にスカート状の化粧部材２７を有し、化粧部材２７は天板との間に位置する不燃部５０を使用者から見えないようにする。吸引風路２８を内部に有するフード部側接続部４１は、天板ＰＬの上面から下方に位置し、その下端４１１は、本体部側接続部４２に嵌合する。吸引風路２８は本体部風路１３の上流側と、吹出風路２９は本体部風路１３の下流側と接続される。
【００２５】
本実施例では、フード部側接続部４１は、両端にガイド部４１２を有している。ガイド部４１２は、左右両端においてフード部側接続部４１の他の部分より下方に突出し、左右両端のガイド部の端から端までの距離は不燃部の孔内周の左右面の距離に対応し、ガイド部の奥行き長さは不燃部の孔内周の奥行き長さに対応した長さとしている。これによれば、フード部側接続部４１を取り付ける際、両端のガイド部４１２のみに目を配ってフード部側接続部を挿入することでガイド部が不燃部の孔内周面に沿うようにして移動するから、スムーズかつ容易に取り付けることができる。また、フード部側接続部４１に設けられたガイド部４１２が他のフード部側接続部４１よりも先に本体部側接続部４２に挿入されて位置決めを行うため、本体部側接続部４２と他のフード部側接続部とが衝突することなく、フード部側接続部４１や本体部側接続部４２が破損することを防止することができる。
【００２６】
図６および図７を参照し、本体部１０について説明する。本体部１０は、送風機（図示せず）を内部に含みキャビネット内に設置される。本実施例の場合、天板ＰＬの開口部ＯＰの位置に適合するように、本体部側接続部４２が上方へ延在している。なお、本体部側接続部４２は、天板ＰＬの高さより低いが、これに限定されず、天板ＰＬの高さより高く、本体部側接続部が開口部ＯＰから突出していてもよい。本体部側接続部４２の内部は、手前側に吸引風路２８と対応し、奥側に吹出風路２９に対応するように本体部風路１３が存している。
【００２７】
図８乃至図１０を参照し、不燃部５０について説明する。不燃部５０は、断熱性を有する部材からなる不燃材５１と不燃材枠５２を有する。不燃材５１は、断熱性を有した材料であればよく、たとえば、ケイ酸カルシウム板、せっこうボード、ロックウール、グラスウォール、ケイ酸カルシウムの基材に粘土鉱物であるバーミキュライトを加えたモイスである。不燃材枠５２は、不燃材５１と天板ＰＬの間に介在する不燃性で高硬度の、好ましくは金属製の不燃材外枠５２１を有する。この不燃材５１と不燃材外枠５２１が接続部４０と天板ＰＬの間にあることにより、レンジフード１と天板ＰＬとを断熱することができ、消防法の要求を満たすことができると共に、天板ＰＬに水や油等の液体をこぼしても不燃材５１が直接液体を吸うことがないから、不燃材の長寿命化につながり、また、レンジフードに外力がかかり不燃材５１に荷重がかかっても、天板ＰＬに対して不燃材外枠５２１が不燃材５１の保護材として機能して力が分散するため、天板ＰＬによる不燃材５１の破損を防止することができる。また、不燃材５１は一般的に加工し難い材料であるものが多いため、直接調理台の天板に取り付けるのは困難だが、不燃材外枠５２１を介して取り付けられるため施工性がよい。さらに、不燃材は不燃材外枠を介して取り付けることで天板に加工をする必要がなく容易に取り付けられるとともに、天板が脆い材料であっても不燃部装着後の天板の強度を保つことができるため天板の長寿命化につながる。
【００２８】
本実施例では、不燃材外枠５２１は、天板ＰＬの上面に対応するフランジ５２１Ｆと天板ＰＬの下面に対応する締付部材５２１Ｃを有し、フランジ５２１Ｆと締付部材５２１Ｃで天板ＰＬを挟持することにより固定させてもよい。これによれば、天板ＰＬの厚みに対応して容易にレンジフード１をキャビネットに取り付けることができる。また、天板にねじ孔を設けることなく不燃材外枠５２１を天板に設置可能であるため、地震等によってねじ孔から亀裂が入り天板が破損する事態を防止できる。
【００２９】
また、天板ＰＬと不燃材外枠５２１の間にパッキン６０を介在させてもよい。本図では、不燃材外枠５２１のフランジ５２１Ｆの下面にパッキン６０を設けているが、これに限定されず、天板ＰＬの端面に対応するように不燃材外枠５２１の部分にパッキン６０を設けて、天板ＰＬの開口部ＯＰの断面との間で水密性を維持してもよい。これによれば、天板ＰＬに水や油などをこぼしても、キャビネットＣＡの内部にそれらが侵入することを防ぐことができる。
【００３０】
また、本実施例では、不燃材枠５２は、不燃材５１と接続部４０の間に介在する不燃性で高硬度の、好ましくは金属製の不燃材内枠５２２をさらに有している。不燃材内枠５２２があることにより、レンジフード１に外力がかかり不燃材５１に荷重がかかっても、接続部４０に対して不燃材内枠５２２が不燃材５１の保護材として機能して力が分散するため、レンジフード１による不燃材５１の破損を防止することができる。また、不燃材内枠５２２が不燃材５１の保護材として機能するため、接続部４０を天板ＰＬに取り付けようとする際に不燃材を傷つけたり、破損させてしまうことを防止することができる。
【００３１】
本実施例のように、不燃材内枠５２２は、不燃材５１と接続部４０の間に介在するだけでなく不燃材５１の上部を覆うようにフランジを有することが好ましい。このようにすることで、フード部側接続部材を不燃部の孔を通して取り付ける際に多少位置がずれてフード部側接続部材が不燃部に接触してしまっても、不燃材に直接接触せず不燃材内枠が衝撃を吸収するため、不燃材の破損を防ぐことができる。なお、不燃材外枠５２１は、不燃材内枠５２２と別体であると共に、 直接接触していない。不燃材内枠５２２は、熱せられた空気が通過する吸引風路２８を内部に含む接続部４０（本実施例では、フード部側接続部４１）と接するために熱が伝達され易いが、その熱を天板ＰＬなどに不燃材外枠５２１を介して伝達させないためである。
【００３２】
図１１を参照し、レンジフード１において不燃部５０が如何に用いられるかを説明する。図１１（Ｂ）は、レンジフード１が据え付けられた時の不燃部５０付近の拡大断面図である。不燃部５０は、吸引風路２８を内部に有するフード部側接続部４１と天板ＰＬの間に存する。これにより、レンジフード１と天板ＰＬとを断熱することができる。また、不燃部５０は、不燃材５１と天板ＰＬの間に不燃材外枠５２１を有する。これにより、天板ＰＬに水や油等の液体をこぼしても不燃材５１が直接液体を吸うことがないから、不燃材の長寿命化につながり、また、レンジフード１に外力がかかり不燃材５１に荷重がかかっても、天板ＰＬに対して不燃材外枠５２１が不燃材５１の保護材として機能して力が分散するため、天板ＰＬによる不燃材５１の破損を防止することができる。
【００３３】
また、不燃部５０は、不燃材５１とフード部側接続部４１の間に不燃材内枠５２２を有する。これにより、レンジフード１に外力がかかり不燃材５１に荷重がかかっても、不燃材内枠５２２が、フード部側接続部４１に対して不燃材５１の保護材として機能して力が分散するため、レンジフード１による不燃材５１の破損を防止することができる。また、不燃材内枠５２２が不燃材５１の保護材として機能するため、フード部側接続部４１を天板ＰＬに取り付けようとする際に不燃材５１を傷つけたり、破損させてしまうことを防止することができる。
【００３４】
また、不燃部５０は、天板ＰＬの端面に対応する部分だけではなく、天板ＰＬの上面に対応するようにフランジ部分を有する。不燃材外枠５２１は、当該フランジ部分に対応するようにフランジ５２１Ｆを有すると共に、フランジ５２１Ｆから垂直上方に立ち上がる立ち上がり部分を有し、不燃材５１のフランジ部分の端面を外力や水や油等の液体から保護する。また、不燃材内枠５２２は、フード部側接続部４１に対応する部分だけではなく、当該フランジ部分に対応するように同様なフランジを有し、不燃材５１のフランジ部分の上面を保護する。このように、不燃材枠５２（不燃材外枠５２１および不燃材内枠５２２）が、不燃材５１と、天板ＰＬおよび接続部４０（フード部側接続部４１または本体部側接続部４２）の間に介在することで、脆い不燃材からなる不燃材５１を保護することができる。また、天板ＰＬと不燃材外枠５２１の間にパッキン６０を介在させている。これにより、水や油等の液体から不燃材を保護し、使用するうちに不燃材が劣化することを防止する。
【００３５】
図１２および図１３を参照し、不燃部５０を天板ＰＬに取り付ける方法を説明する。不燃部５０の不燃材外枠５２１の下端部を、天板ＰＬに設けられた不燃材外枠５２１の大きさと形状に適合する開口部ＯＰに差し込み、フランジ５２１Ｆを天板ＰＬの上面に載せる。フランジ５２１Ｆが天板ＰＬの上面に載せられたら、締付部材５２１Ｃを天板ＰＬの下面に当ててネジで締付部材５２１Ｃを締め上げると、フランジ５２１Ｆと締付部材５２１Ｃとで天板ＰＬを挟持することとなる。これにより、不燃材外枠５２１は、天板ＰＬに強固に固定される。
【００３６】
不燃材外枠５２１が天板ＰＬに固定されたら、不燃材５１を、不燃材外枠５２１の内側の４面およびフランジ５２１Ｆの上面の４面に、配置する。図では８つの不燃材片が一体となっているようであるが、不燃材片は互いに接合されておらず、バラバラの状態である。すべての不燃材片を配置したら、不燃材内枠５２２を、不燃材５１のそれぞれの片に当接して固定されるように配置して、不燃材内枠５２２と不燃材５１とを固定する。このようにして、不燃部５０は、天板ＰＬに、すなわちキャビネットに取り付けられる。
【００３７】
図１３に示すように、不燃部５０は、出荷時には一体として構成されて、ユニット化されており、レンジフード１をキャビネットに設置する際には、一体として取り扱えるように構成されていてもよい。これによれば、不燃部５０をキャビネットに上記で説明した取り付け方法より容易に取り付けることができる。
【００３８】
不燃部５０を天板ＰＬに取り付けたら、フード部側接続部４１の下端４１１特にガイド部４１２を、不燃部５０の孔を通して、化粧部材２７が不燃部５０のフランジ部（フランジ５２１Ｆを含む）を覆うまで、その下方に対応する位置に存する本体部１０の本体部側接続部４２に嵌め込む。フード部側接続部４１の下端４１１は、不燃材枠５２よりも下方に突出し、不燃材内枠５２２の内周は、フード部側接続部４１の外周に対応している。こうすることにより、フード部側接続部４１と本体部側接続部４２を取り付ける際、不燃材内枠５２２がフード部側接続部４１の前後左右の位置決めとして機能するため、フード部側接続部４１と本体部側接続部４２の接続を容易に行うことができる。
【００３９】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００４０】
１      レンジフード
１０    本体部
１１    送風機
１２    浄化装置
１３    本体部風路
２０    フード部
２１    内面パネル
２１１  壁部
２２    吸込口
２３    フィルタ
２４    整流板
２５    周縁部
２６    吹出口
２７    化粧部材
２８    吸引風路
２９    吹出風路
３０    風路
４０    接続部
４１    フード部側接続部
４１１  フード部側接続部の下端
４１２  ガイド部
４２    本体部側接続部
５０    不燃部
５１    不燃材
５２    不燃材枠
５２１  不燃材外枠
５２１Ｆ  フランジ
５２１Ｃ  締付部材
５２２  不燃材内枠
６０    パッキン
ＣＡ    キャビネット
ＣＫ    加熱調理器
ＨＴ    熱源
ＰＬ    天板
ＯＰ    開口部
【図１】
0006502122.tif 000002
【図２】
0006502122.tif 000003
【図３】
0006502122.tif 000004
【図４】
0006502122.tif 000005
【図５】
0006502122.tif 000006
【図６】
0006502122.tif 000007
【図７】
0006502122.tif 000008
【図８】
0006502122.tif 000009
【図９】
0006502122.tif 000010
【図１０】
0006502122.tif 000011
【図１１】
0006502122.tif 000012
【図１２】
0006502122.tif 000013
【図１３】
0006502122.tif 000014